(57)【要約】【課題】複数のコンテンツが記録された情報記録媒体をパッケージソフトとして店頭販売や通信販売することが可能で、かつ、コンテンツ毎に課金を行うことができるコンテンツ部分課金方法及び情報記録再生装置及び情報再生装置及び情報記録媒体を提供する。【解決手段】ユーザ端末においてコンテンツ再生許可情報が記録されていないコンテンツを再生する場合は、サーバ端末と通信を行い再生するコンテンツの課金を行うとともに、再生するコンテンツに対応するコンテンツ再生許可情報を記録する。コンテンツ再生許可情報が記録されているコンテンツを再生する場合は、追加の課金なく再生することができる。【選択図】図５
2005141470.tif 000002
【特許請求の範囲】
【請求項１】
情報記録媒体に記録されたコンテンツの使用に対するコンテンツ部分課金方法であって、
前記情報記録媒体は、複数のコンテンツが記録されたコンテンツ領域と前記複数のコンテンツの再生許可情報をコンテンツ毎に格納され得るコンテンツ再生許可情報領域を含み、
コンテンツを再生するユーザ端末において、
前記コンテンツ再生許可情報領域に再生するコンテンツに対応するコンテンツ再生許可情報が記録されていない場合に、
コンテンツの使用に対する課金を行うサーバ端末とユーザを認証し、
前記ユーザを認証できた場合に、前記再生するコンテンツに対応するコンテンツ再生許可情報を前記コンテンツ再生許可情報領域に記録するとともに、
前記サーバ端末において、
前記再生するコンテンツの使用に対する課金を行う
ことを特徴とするコンテンツ部分課金方法。
【請求項２】
情報記録媒体に記録されたコンテンツの使用に対するコンテンツ部分課金方法であって、
前記情報記録媒体は、複数のコンテンツが記録されたコンテンツ領域と前記複数のコンテンツの再生許可情報をコンテンツ毎に格納され得るコンテンツ再生許可情報領域を含み、
コンテンツを再生するユーザ端末において、
前記コンテンツ再生許可情報領域に再生するコンテンツに対応するコンテンツ再生許可情報が記録されていない場合に、
コンテンツの使用に対する課金を行うサーバ端末とユーザを認証し、
前記ユーザを認証できた場合に、前記再生するコンテンツに対応するコンテンツ再生許可情報を前記コンテンツ再生許可情報領域に記録するとともに、前記サーバ端末に前記再生するコンテンツに対応するコンテンツ再生許可情報の記録完了通知を送信し、
前記サーバ端末において、
前記再生するコンテンツに対応するコンテンツ再生許可情報の記録完了通知を受信した場合に、前記再生するコンテンツの使用に対する課金を行う
ことを特徴とするコンテンツ部分課金方法。
【請求項３】
情報記録媒体に記録されたコンテンツの使用に対するコンテンツ部分課金方法であって、
前記情報記録媒体は、複数のコンテンツが記録されたコンテンツ領域と前記複数のコンテンツの再生許可情報をコンテンツ毎に格納され得るコンテンツ再生許可情報領域を含み、
コンテンツを再生するユーザ端末において、
前記コンテンツ再生許可情報領域に再生するコンテンツに対応するコンテンツ再生許可情報が記録されていない場合に、
コンテンツの使用に対する課金を行うサーバ端末とユーザを認証し、
前記ユーザを認証できた場合に、前記再生するコンテンツに対応するコンテンツ再生許可情報を前記サーバ端末から受信し、
前記再生するコンテンツに対応するコンテンツ再生許可情報を前記コンテンツ再生許可情報領域に記録するとともに、
前記サーバ端末において、
前記再生するコンテンツの使用に対する課金を行う
ことを特徴とするコンテンツ部分課金方法。
【請求項４】
情報記録媒体に記録されたコンテンツの使用に対するコンテンツ部分課金方法であって、
前記情報記録媒体は、複数のコンテンツが記録されたコンテンツ領域と前記複数のコンテンツの再生許可情報をコンテンツ毎に格納され得るコンテンツ再生許可情報領域を含み、
コンテンツを再生するユーザ端末において、
前記コンテンツ再生許可情報領域に再生するコンテンツに対応するコンテンツ再生許可情報が記録されていない場合に、
コンテンツの使用に対する課金を行うサーバ端末とユーザを認証し、
前記ユーザを認証できた場合に、前記再生するコンテンツに対応するコンテンツ再生許可情報を前記サーバ端末から受信し、
前記再生するコンテンツに対応するコンテンツ再生許可情報を前記コンテンツ再生許可情報領域に記録するとともに、前記サーバ端末に前記再生するコンテンツに対応するコンテンツ再生許可情報の記録完了を送信し、
前記サーバ端末において、
前記再生するコンテンツに対応するコンテンツ再生許可情報の記録完了を受信した場合に、前記再生するコンテンツの使用に対する課金を行う
ことを特徴とするコンテンツ部分課金方法。
【請求項５】
情報記録媒体に記録されたコンテンツの使用に対するコンテンツ部分課金方法であって、
前記情報記録媒体は、複数のコンテンツが記録されたコンテンツ領域と前記複数のコンテンツの再生許可情報をコンテンツ毎に格納するコンテンツ再生許可情報領域を含み、
コンテンツを再生するユーザ端末において、
前記コンテンツ再生許可情報領域に再生するコンテンツに対応するコンテンツ再生許可情報が記録されていない場合に、
前記再生するコンテンツを特定する識別情報を携帯端末に送信し、
前記携帯端末において、
コンテンツの使用に対する課金を行うサーバ端末とユーザを認証し、
前記ユーザを認証できた場合に、前記再生するコンテンツに対応するコンテンツ再生許可情報を前記サーバ端末から受信し、
前記再生するコンテンツに対応するコンテンツ再生許可情報を前記ユーザ端末に送信し、
前記ユーザ端末において、
前記再生するコンテンツに対応するコンテンツ再生許可情報を前記コンテンツ再生許可情報領域に記録し、
前記サーバ端末において、
前記再生するコンテンツの使用に対する課金を行う
ことを特徴とするコンテンツ部分課金方法。
【請求項６】
前記携帯端末は携帯電話端末である請求項５記載のコンテンツ部分課金方法。
【請求項７】
情報記録媒体に記録されたコンテンツの使用に対するコンテンツ部分課金方法であって、
前記情報記録媒体は、複数のコンテンツが記録されたコンテンツ領域と前記複数のコンテンツの再生許可情報をコンテンツ毎に格納するコンテンツ再生許可情報領域を含み、
コンテンツを再生するユーザ端末において、
前記コンテンツ再生許可情報領域に再生するコンテンツに対応するコンテンツ再生許可情報が記録されていない場合に、
代金の支払いが可能なカードを確認し、
前記再生するコンテンツに対応するコンテンツ再生許可情報を前記コンテンツ再生許可情報領域に記録し、
前記代金の支払いが可能なカードから前記再生するコンテンツの使用に対して課金する
ことを特徴とするコンテンツ部分課金方法。
【請求項８】
前記代金の支払いが可能なカードはプリペイド方式の磁気カードである請求項７記載のコンテンツ部分課金方法。
【請求項９】
前記代金の支払いが可能なカードはＩＣカードである請求項７記載のコンテンツ部分課金方法。
【請求項１０】
前記複数のコンテンツの再生許可情報は前記複数のコンテンツのコンテンツ毎に再生が許可されているかを示すフラグである請求項１から請求項９のいずれか１項に記載のコンテンツ部分課金方法。
【請求項１１】
前記複数のコンテンツはコンテンツ毎に異なる鍵で暗号化されて前記コンテンツ領域に記録され、前記複数のコンテンツの再生許可情報は暗号化された前記複数のコンテンツの復号に必要なコンテンツ毎のコンテンツ鍵である請求項１から請求項９のいずれか１項に記載のコンテンツ部分課金方法。
【請求項１２】
複数のコンテンツが記録されたコンテンツ領域と前記複数のコンテンツの再生許可情報をコンテンツ毎に格納するコンテンツ再生許可情報領域を含む情報記録媒体に対応する情報記録再生装置であって、
入力手段と通信手段とコンテンツ再生許可情報領域記録再生手段とコンテンツ領域再生手段とコンテンツ再生手段とを備え、
前記入力手段によりユーザが要求した再生するコンテンツに対して、
前記コンテンツ再生許可情報領域記録再生手段により前記コンテンツ再生許可情報領域を再生して前記再生するコンテンツに対応するコンテンツ再生許可情報が記録されていない場合に、
前記通信手段によりコンテンツの使用に対して課金するサーバ端末に前記再生するコンテンツの使用を通知し、
前記コンテンツ再生許可情報領域記録再生手段により前記再生するコンテンツに対応するコンテンツ再生許可情報を前記コンテンツ再生許可情報領域に記録し、
前記再生するコンテンツに対応するコンテンツ再生許可情報が前記コンテンツ再生許可情報領域に記録されると、
前記コンテンツ領域再生手段により前記コンテンツ領域に記録された前記再生するコンテンツを読み出し、
前記コンテンツ再生手段により前記読み出した再生するコンテンツを復号して再生する
ことを特徴とする情報記録再生装置。
【請求項１３】
複数のコンテンツが記録されたコンテンツ領域と前記複数のコンテンツの再生許可情報をコンテンツ毎に格納するコンテンツ再生許可情報領域を含む情報記録媒体に対応する情報記録再生装置であって、
入力手段と通信手段とコンテンツ再生許可情報領域記録再生手段とコンテンツ領域再生手段とコンテンツ再生手段とを備え、
前記入力手段によりユーザが要求した再生するコンテンツに対して、
前記コンテンツ再生許可情報領域記録再生手段により前記コンテンツ再生許可情報領域を再生して前記再生するコンテンツに対応するコンテンツ再生許可情報が記録されていない場合に、
前記通信手段によりコンテンツの使用に対して課金するサーバ端末に前記再生するコンテンツの使用を通知し、
前記通信手段により前記再生するコンテンツに対応するコンテンツ再生許可情報を前記サーバ端末から受信し、
前記コンテンツ再生許可情報領域記録再生手段により前記再生するコンテンツに対応するコンテンツ再生許可情報を前記コンテンツ再生許可情報領域に記録し、
前記再生するコンテンツに対応するコンテンツ再生許可情報が前記コンテンツ再生許可情報領域に記録されると、
前記コンテンツ領域再生手段により前記コンテンツ領域に記録された前記再生するコンテンツを読み出し、
前記コンテンツ再生手段により前記読み出した再生するコンテンツを復号して再生する
ことを特徴とする情報記録再生装置。
【請求項１４】
複数のコンテンツが記録されたコンテンツ領域と前記複数のコンテンツの再生許可情報をコンテンツ毎に格納するコンテンツ再生許可情報領域を含む情報記録媒体に対応する情報再生装置であって、
入力手段とコンテンツ再生許可情報領域再生手段とコンテンツ領域再生手段とコンテンツ再生手段とを備え、
前記入力手段によりユーザが要求した再生するコンテンツに対して、
前記コンテンツ再生許可情報領域再生手段により前記コンテンツ再生許可情報領域を再生して前記再生するコンテンツに対応するコンテンツ再生許可情報が記録されている場合に、
前記コンテンツ領域再生手段により前記コンテンツ領域に記録された前記再生するコンテンツを読み出し、
前記コンテンツ再生手段により前記読み出した再生するコンテンツを復号して再生する
ことを特徴とする情報再生装置。
【請求項１５】
複数のコンテンツが記録されたコンテンツ領域と前記複数のコンテンツの再生許可情報をコンテンツ毎に格納するコンテンツ再生許可情報領域を含むことを特徴とする情報記録媒体。
【請求項１６】
前記コンテンツ領域を再生専用型記録媒体で構成し、前記コンテンツ再生許可情報領域を追記型記録媒体で構成した請求項１５記載の情報記録媒体。
【請求項１７】
前記コンテンツ領域を再生専用型記録媒体で構成し、前記コンテンツ再生許可情報領域をＩＣチップで構成した請求項１５記載の情報記録媒体。
【請求項１８】
前記複数のコンテンツのコンテンツ再生許可情報は前記複数のコンテンツのコンテンツ毎に再生が許可されているかを示すフラグである請求項１５から請求項１７のいずれか１項に記載の情報記録媒体。
【請求項１９】
前記複数のコンテンツはコンテンツ毎に異なる鍵で暗号化されて前記コンテンツ領域に記録され、前記複数のコンテンツの再生許可情報は暗号化された前記複数のコンテンツの復号に必要なコンテンツ毎のコンテンツ鍵である請求項１５から請求項１７のいずれか１項に記載の情報記録媒体。
【発明の詳細な説明】
【技術分野】
【０００１】
本発明は、情報記録媒体に記録されたコンテンツの部分課金方法及び情報記録再生装置及び情報再生装置及び情報記録媒体に関するものである。
【背景技術】
【０００２】
近年、情報記録媒体の代表的なものである光ディスクは、高密度化、大容量化が進んでおり、動画像や音楽などの情報記録媒体に記録されるコンテンツも高画質化、高音質化、あるいは、長時間化される傾向にある。
【０００３】
このように大容量の情報記録媒体に長時間のコンテンツが記録されるようになるとそのコンテンツの使用料も高額となり、一度に全額を課金することが難しくなるため、課金方法が課題となる。
【０００４】
そこで、コンテンツを複数に分割して分割されたコンテンツごとに課金を行うコンテンツ部分課金方法が考えられている（例えば、特許文献１参照。）。
【０００５】
図１３はこのようなコンテンツ部分課金方法の手順を示すフローチャート図であり、その動作をステップごとに説明する。
【０００６】
ステップ１３０１では、ディジタルコンテンツを販売する販売者装置において、ディジタルコンテンツを分割し、分割されたディジタルコンテンツをそれぞれ異なる鍵で暗号化する。
【０００７】
ステップ１３０２では、ディジタルコンテンツを復号する際に、分割された暗号化コンテンツを、どのような順番で鍵を用いて復号すればよいかがわかるコンテンツ復号制御情報を生成して、該ディジタルコンテンツと共にユーザ端末に送信する。
【０００８】
ステップ１３０３では、ディジタルコンテンツの購入するユーザを認証する。
【０００９】
ステップ１３０４では、ユーザ端末と共有鍵を共有する。
【００１０】
ステップ１３０５では、分割され、暗号化されたディジタルコンテンツを復号するための複数のコンテンツ鍵を共有鍵で暗号化する。
【００１１】
ステップ１３０６では、暗号化された複数のコンテンツ鍵をユーザ端末に送信する。
【００１２】
ステップ１３０７では、受信したコンテンツ鍵を共有鍵で復号する。
【００１３】
ステップ１３０８では、受信したコンテンツ復号制御情報を参照して、必要なコンテンツ鍵を抽出する。
【００１４】
ステップ１３０９では、抽出したコンテンツ鍵を用いて、受信した分割され、暗号化されたディジタルコンテンツを復号する。
【００１５】
ステップ１３１０では、使用したコンテンツ鍵の使用履歴を販売者装置に送信する。
【００１６】
ステップ１３１１では、販売者装置において、コンテンツ鍵の使用履歴に基づいてコンテンツ使用に対する課金を行う。
【特許文献１】特開２００２−３５２１４６号公報
【発明の開示】
【発明が解決しようとする課題】
【００１７】
ところが、ユーザが購入したコンテンツを復号する際に必要となるコンテンツ鍵をユーザ端末に保持するとそのコンテンツを別のユーザ端末において使用することができなくなる。また、ユーザが購入したコンテンツを復号する際に必要となるコンテンツ鍵を使用のたびに、販売者装置から取得するようにするとネットワーク接続可能な状態でなければそのコンテンツを使用することができない。
【００１８】
さらに、コンテンツの配信にネットワークを使用することを前提としているため、コンテンツを大容量情報記録媒体に記録したパッケージソフトとして店頭販売や通信販売を行うことができない。
【００１９】
本発明は、この点に鑑みなされたもので、パッケージソフトとして販売することが可能であり、かつ、コンテンツ部分課金が可能である情報記録媒体、および、該情報記録媒体に対応したコンテンツ部分課金方法、情報記録再生装置、情報再生装置を提供することを目的とする。
【課題を解決するための手段】
【００２０】
本発明のコンテンツ部分課金方法は、情報記録媒体に記録されたコンテンツの使用に対するものであって、前記情報記録媒体は、複数のコンテンツが記録されたコンテンツ領域と前記複数のコンテンツの再生許可情報をコンテンツ毎に格納され得るコンテンツ再生許可情報領域を含み、コンテンツを再生するユーザ端末において、前記コンテンツ再生許可情報領域に再生するコンテンツに対応するコンテンツ再生許可情報が記録されていない場合に、コンテンツの使用に対する課金を行うサーバ端末とユーザを認証し、前記ユーザを認証できた場合に、前記再生するコンテンツに対応するコンテンツ再生許可情報を前記コンテンツ再生許可情報領域に記録するとともに、前記サーバ端末において、前記再生するコンテンツの使用に対する課金を行い、これにより上記目的を達成する。
【００２１】
前記複数のコンテンツの再生許可情報は前記複数のコンテンツのコンテンツ毎に再生が許可されているかを示すフラグであってもよい。
【００２２】
前記複数のコンテンツはコンテンツ毎に異なる鍵で暗号化されて前記コンテンツ領域に記録され、前記複数のコンテンツの再生許可情報は暗号化された前記複数のコンテンツの復号に必要なコンテンツ毎のコンテンツ鍵であってもよい。
【００２３】
本発明のコンテンツ部分課金方法は、情報記録媒体に記録されたコンテンツの使用に対するものであって、前記情報記録媒体は、複数のコンテンツが記録されたコンテンツ領域と前記複数のコンテンツの再生許可情報をコンテンツ毎に格納され得るコンテンツ再生許可情報領域を含み、コンテンツを再生するユーザ端末において、前記コンテンツ再生許可情報領域に再生するコンテンツに対応するコンテンツ再生許可情報が記録されていない場合に、コンテンツの使用に対する課金を行うサーバ端末とユーザを認証し、前記ユーザを認証できた場合に、前記再生するコンテンツに対応するコンテンツ再生許可情報を前記コンテンツ再生許可情報領域に記録するとともに、前記サーバ端末に前記再生するコンテンツに対応するコンテンツ再生許可情報の記録完了通知を送信し、前記サーバ端末において、前記再生するコンテンツに対応するコンテンツ再生許可情報の記録完了通知を受信した場合に、前記再生するコンテンツの使用に対する課金を行い、これにより上記目的を達成する。
【００２４】
前記複数のコンテンツの再生許可情報は前記複数のコンテンツのコンテンツ毎に再生が許可されているかを示すフラグであってもよい。
【００２５】
前記複数のコンテンツはコンテンツ毎に異なる鍵で暗号化されて前記コンテンツ領域に記録され、前記複数のコンテンツの再生許可情報は暗号化された前記複数のコンテンツの復号に必要なコンテンツ毎のコンテンツ鍵であってもよい。
【００２６】
本発明のコンテンツ部分課金方法は、情報記録媒体に記録されたコンテンツの使用に対するものであって、前記情報記録媒体は、複数のコンテンツが記録されたコンテンツ領域と前記複数のコンテンツの再生許可情報をコンテンツ毎に格納され得るコンテンツ再生許可情報領域を含み、コンテンツを再生するユーザ端末において、前記コンテンツ再生許可情報領域に再生するコンテンツに対応するコンテンツ再生許可情報が記録されていない場合に、コンテンツの使用に対する課金を行うサーバ端末とユーザを認証し、前記ユーザを認証できた場合に、前記再生するコンテンツに対応するコンテンツ再生許可情報を前記サーバ端末から受信し、前記再生するコンテンツに対応するコンテンツ再生許可情報を前記コンテンツ再生許可情報領域に記録するとともに、前記サーバ端末において、前記再生するコンテンツの使用に対する課金を行い、これにより上記目的を達成する。
【００２７】
前記複数のコンテンツの再生許可情報は前記複数のコンテンツのコンテンツ毎に再生が許可されているかを示すフラグであってもよい。
【００２８】
前記複数のコンテンツはコンテンツ毎に異なる鍵で暗号化されて前記コンテンツ領域に記録され、前記複数のコンテンツの再生許可情報は暗号化された前記複数のコンテンツの復号に必要なコンテンツ毎のコンテンツ鍵であってもよい。
【００２９】
本発明のコンテンツ部分課金方法は、情報記録媒体に記録されたコンテンツの使用に対するものであって、前記情報記録媒体は、複数のコンテンツが記録されたコンテンツ領域と前記複数のコンテンツの再生許可情報をコンテンツ毎に格納され得るコンテンツ再生許可情報領域を含み、コンテンツを再生するユーザ端末において、前記コンテンツ再生許可情報領域に再生するコンテンツに対応するコンテンツ再生許可情報が記録されていない場合に、コンテンツの使用に対する課金を行うサーバ端末とユーザを認証し、前記ユーザを認証できた場合に、前記再生するコンテンツに対応するコンテンツ再生許可情報を前記サーバ端末から受信し、前記再生するコンテンツに対応するコンテンツ再生許可情報を前記コンテンツ再生許可情報領域に記録するとともに、前記サーバ端末に前記再生するコンテンツに対応するコンテンツ再生許可情報の記録完了を送信し、前記サーバ端末において、前記再生するコンテンツに対応するコンテンツ再生許可情報の記録完了を受信した場合に、前記再生するコンテンツの使用に対する課金を行い、これにより上記目的を達成する。
【００３０】
前記複数のコンテンツの再生許可情報は前記複数のコンテンツのコンテンツ毎に再生が許可されているかを示すフラグであってもよい。
【００３１】
前記複数のコンテンツはコンテンツ毎に異なる鍵で暗号化されて前記コンテンツ領域に記録され、前記複数のコンテンツの再生許可情報は暗号化された前記複数のコンテンツの復号に必要なコンテンツ毎のコンテンツ鍵であってもよい。
【００３２】
本発明のコンテンツ部分課金方法は、情報記録媒体に記録されたコンテンツの使用に対するものであって、前記情報記録媒体は、複数のコンテンツが記録されたコンテンツ領域と前記複数のコンテンツの再生許可情報をコンテンツ毎に格納するコンテンツ再生許可情報領域を含み、コンテンツを再生するユーザ端末において、前記コンテンツ再生許可情報領域に再生するコンテンツに対応するコンテンツ再生許可情報が記録されていない場合に、前記再生するコンテンツを特定する識別情報を携帯端末に送信し、前記携帯端末において、コンテンツの使用に対する課金を行うサーバ端末とユーザを認証し、前記ユーザを認証できた場合に、前記再生するコンテンツに対応するコンテンツ再生許可情報を前記サーバ端末から受信し、前記再生するコンテンツに対応するコンテンツ再生許可情報を前記ユーザ端末に送信し、前記ユーザ端末において、前記再生するコンテンツに対応するコンテンツ再生許可情報を前記コンテンツ再生許可情報領域に記録し、前記サーバ端末において、前記再生するコンテンツの使用に対する課金を行い、これにより上記目的を達成する。
【００３３】
前記携帯端末は携帯電話端末であってもよい。
【００３４】
前記複数のコンテンツの再生許可情報は前記複数のコンテンツのコンテンツ毎に再生が許可されているかを示すフラグであってもよい。
【００３５】
前記複数のコンテンツはコンテンツ毎に異なる鍵で暗号化されて前記コンテンツ領域に記録され、前記複数のコンテンツの再生許可情報は暗号化された前記複数のコンテンツの復号に必要なコンテンツ毎のコンテンツ鍵であってもよい。
【００３６】
本発明のコンテンツ部分課金方法は、情報記録媒体に記録されたコンテンツの使用に対するものであって、前記情報記録媒体は、複数のコンテンツが記録されたコンテンツ領域と前記複数のコンテンツの再生許可情報をコンテンツ毎に格納するコンテンツ再生許可情報領域を含み、コンテンツを再生するユーザ端末において、前記コンテンツ再生許可情報領域に再生するコンテンツに対応するコンテンツ再生許可情報が記録されていない場合に、代金の支払いが可能なカードを確認し、前記再生するコンテンツに対応するコンテンツ再生許可情報を前記コンテンツ再生許可情報領域に記録し、前記代金の支払いが可能なカードから前記再生するコンテンツの使用に対して課金し、これにより上記目的を達成する。
【００３７】
前記代金の支払いが可能なカードはプリペイド方式の磁気カードであってもよい。
【００３８】
前記代金の支払いが可能なカードはＩＣカードであってもよい。
【００３９】
前記複数のコンテンツの再生許可情報は前記複数のコンテンツのコンテンツ毎に再生が許可されているかを示すフラグであってもよい。
【００４０】
前記複数のコンテンツはコンテンツ毎に異なる鍵で暗号化されて前記コンテンツ領域に記録され、前記複数のコンテンツの再生許可情報は暗号化された前記複数のコンテンツの復号に必要なコンテンツ毎のコンテンツ鍵であってもよい。
【００４１】
本発明の情報記録装置は、複数のコンテンツが記録されたコンテンツ領域と前記複数のコンテンツの再生許可情報をコンテンツ毎に格納するコンテンツ再生許可情報領域を含む情報記録媒体に対応するものであって、入力手段と通信手段とコンテンツ再生許可情報領域記録再生手段とコンテンツ領域再生手段とコンテンツ再生手段とを備え、前記入力手段によりユーザが要求した再生するコンテンツに対して、前記コンテンツ再生許可情報領域記録再生手段により前記コンテンツ再生許可情報領域を再生して前記再生するコンテンツに対応するコンテンツ再生許可情報が記録されていない場合に、前記通信手段によりコンテンツの使用に対して課金するサーバ端末に前記再生するコンテンツの使用を通知し、前記コンテンツ再生許可情報領域記録再生手段により前記再生するコンテンツに対応するコンテンツ再生許可情報を前記コンテンツ再生許可情報領域に記録し、前記再生するコンテンツに対応するコンテンツ再生許可情報が前記コンテンツ再生許可情報領域に記録されると、前記コンテンツ領域再生手段により前記コンテンツ領域に記録された前記再生するコンテンツを読み出し、前記コンテンツ再生手段により前記読み出した再生するコンテンツを復号して再生し、これにより上記目的を達成する。
【００４２】
本発明の情報記録装置は、複数のコンテンツが記録されたコンテンツ領域と前記複数のコンテンツの再生許可情報をコンテンツ毎に格納するコンテンツ再生許可情報領域を含む情報記録媒体に対応するものであって、入力手段と通信手段とコンテンツ再生許可情報領域記録再生手段とコンテンツ領域再生手段とコンテンツ再生手段とを備え、前記入力手段によりユーザが要求した再生するコンテンツに対して、前記コンテンツ再生許可情報領域記録再生手段により前記コンテンツ再生許可情報領域を再生して前記再生するコンテンツに対応するコンテンツ再生許可情報が記録されていない場合に、前記通信手段によりコンテンツの使用に対して課金するサーバ端末に前記再生するコンテンツの使用を通知し、前記通信手段により前記再生するコンテンツに対応するコンテンツ再生許可情報を前記サーバ端末から受信し、前記コンテンツ再生許可情報領域記録再生手段により前記再生するコンテンツに対応するコンテンツ再生許可情報を前記コンテンツ再生許可情報領域に記録し、前記再生するコンテンツに対応するコンテンツ再生許可情報が前記コンテンツ再生許可情報領域に記録されると、前記コンテンツ領域再生手段により前記コンテンツ領域に記録された前記再生するコンテンツを読み出し、前記コンテンツ再生手段により前記読み出した再生するコンテンツを復号して再生し、これにより上記目的を達成する。
【００４３】
本発明の情報再生装置は、複数のコンテンツが記録されたコンテンツ領域と前記複数のコンテンツの再生許可情報をコンテンツ毎に格納するコンテンツ再生許可情報領域を含む情報記録媒体に対応するものであって、入力手段とコンテンツ再生許可情報領域再生手段とコンテンツ領域再生手段とコンテンツ再生手段とを備え、前記入力手段によりユーザが要求した再生するコンテンツに対して、前記コンテンツ再生許可情報領域再生手段により前記コンテンツ再生許可情報領域を再生して前記再生するコンテンツに対応するコンテンツ再生許可情報が記録されている場合に、前記コンテンツ領域再生手段により前記コンテンツ領域に記録された前記再生するコンテンツを読み出し、前記コンテンツ再生手段により前記読み出した再生するコンテンツを復号して再生し、これにより上記目的を達成する。
【００４４】
本発明の情報記録媒体は、複数のコンテンツが記録されたコンテンツ領域と前記複数のコンテンツの再生許可情報をコンテンツ毎に格納するコンテンツ再生許可情報領域を含み、これにより上記目的を達成する。
【００４５】
前記コンテンツ領域を再生専用型記録媒体で構成し、前記コンテンツ再生許可情報領域を追記型記録媒体で構成してもよい。
【００４６】
前記コンテンツ領域を再生専用型記録媒体で構成し、前記コンテンツ再生許可情報領域をＩＣチップで構成してもよい。
【００４７】
前記複数のコンテンツのコンテンツ再生許可情報は前記複数のコンテンツのコンテンツ毎に再生が許可されているかを示すフラグであってもよい。
【００４８】
前記複数のコンテンツはコンテンツ毎に異なる鍵で暗号化されて前記コンテンツ領域に記録され、前記複数のコンテンツの再生許可情報は暗号化された前記複数のコンテンツの復号に必要なコンテンツ毎のコンテンツ鍵であってもよい。
【発明の効果】
【００４９】
本発明による情報記録媒体は、複数のコンテンツが記録されたコンテンツ領域と該複数のコンテンツの再生許可情報をコンテンツ毎に格納するコンテンツ再生許可情報領域を設けることにより、コンテンツ再生許可情報が記録されているコンテンツは任意のユーザ端末を使用して再生することが可能となる。
【００５０】
本発明のコンテンツ部分課金方法は、複数のコンテンツが記録されたコンテンツ領域と該複数のコンテンツの再生許可情報をコンテンツ毎に格納するコンテンツ再生許可情報領域を設けた情報記録媒体を使用することにより、パッケージソフトとして店頭販売や通信販売が可能であり、かつ、コンテンツ毎に課金が可能である。
【００５１】
本発明の情報記録再生装置および情報再生装置は、複数のコンテンツが記録されたコンテンツ領域と該複数のコンテンツの再生許可情報をコンテンツ毎に格納するコンテンツ再生許可情報領域を設けた情報記録媒体を使用することにより、本発明の情報記録再生装置を使用して再生許可情報が記録されたコンテンツは、本発明の情報再生装置でも再生が可能である。
【発明を実施するための最良の形態】
【００５２】
以下、本発明の実施の形態について図面を参照しながら説明する。
【００５３】
（実施の形態１）
図１は、本発明の実施の形態１における情報記録媒体の構成を示したものである。同図において、１０１はコンテンツ再生許可情報領域、１０２はコンテンツ領域である。
【００５４】
コンテンツ領域１０２には、コンテンツ１、コンテンツ２、…、コンテンツｎの複数のコンテンツが記録されている。
【００５５】
コンテンツ再生許可情報領域１０１は、コンテンツ領域１０２に記録されているコンテンツ１、コンテンツ２、…、コンテンツｎに対して、コンテンツ１に対応するコンテンツ再生許可情報領域、コンテンツ２に対応するコンテンツ再生許可情報領域、…、コンテンツｎに対応するコンテンツ再生許可情報領域から構成される。
【００５６】
コンテンツ再生許可情報領域１０１は、コンテンツ領域１０２に記録されている複数のコンテンツの中で再生が許可されているコンテンツに対応するコンテンツ再生許可情報が記録されており、コンテンツ領域１０２に記録されている複数のコンテンツの中で再生が許可されていないコンテンツに対応するコンテンツ再生許可情報は未記録の状態になる。
【００５７】
図２は、本発明の実施の形態１における情報記録媒体の例を示したものである。同図において、２０１は図１におけるコンテンツ再生許可情報領域１０１に対応し、２０２は図１におけるコンテンツ領域１０２に対応する。
【００５８】
図２の情報記録媒体においては、２０１の領域を１回のみ記録可能な追記型記録媒体で構成し、２０２の領域を再生専用型記録媒体で構成する。これにより、コンテンツ領域１０２に対応する２０２の領域はあらかじめコンテンツを記録しておくことができ、パッケージソフトとして販売する用途に適する。また、コンテンツ再生許可情報領域１０１に対応する２０１の領域は１回のみ記録が可能であるので購入したコンテンツに対してコンテンツ再生許可情報を記録することによりコンテンツ毎に課金することが可能である。
【００５９】
なお、図２の情報記録媒体において、２０２の領域を再生専用型記録媒体で構成したが、１回のみ記録可能な追記型記録媒体、あるいは、書き換え可能型記録媒体を使用して、販売時にコンテンツを記録するようにすることも可能である。
【００６０】
図３は、本発明の実施の形態１における情報記録媒体のもうひとつの例を示したものである。同図において、３０１は図１におけるコンテンツ再生許可情報領域１０１に対応し、３０２は図１におけるコンテンツ領域１０２に対応する。
【００６１】
図３の情報記録媒体においては、３０１の領域をＩＣチップを使用することで実現し、３０２の領域を再生専用型記録媒体で構成する。これにより、コンテンツ領域１０２に対応する３０２の領域はあらかじめコンテンツを記録しておくことができ、パッケージソフトとして販売する用途に適する。また、コンテンツ再生許可情報領域１０１に対応する３０１の領域は情報の書き換えが可能であるので購入したコンテンツに対してコンテンツ再生許可情報を記録することによりコンテンツ毎に課金することが可能である。さらに、書き換え可能な領域である３０２をＩＣチップで構成することにより不正使用に対する耐性も向上する。
【００６２】
なお、図３の情報記録媒体において、３０２の領域を再生専用型記録媒体で構成したが、１回のみ記録可能な追記型記録媒体、あるいは、書き換え可能型記録媒体を使用して、販売時にコンテンツを記録するようにすることも可能である。
【００６３】
本実施の形態において、コンテンツ領域１０２に記録されている複数のコンテンツのコンテンツ毎に再生が許可されているか否かをフラグで示したコンテンツ再生許可情報をコンテンツ再生許可情報領域１０１に記録するようにすることも可能である。また、複数のコンテンツをコンテンツ毎に異なる鍵で暗号化してコンテンツ領域１０２に記録して、暗号化された複数のコンテンツの復号に必要なコンテンツ毎のコンテンツ鍵をコンテンツ再生許可情報領域１０１に記録するようにすることも可能である。
【００６４】
本実施の形態における情報記録媒体は、販売時に再生を許可するコンテンツのコンテンツ再生許可情報をあらかじめコンテンツ再生許可情報領域１０１に記録しておいてもよい。
【００６５】
（実施の形態２）
図４は、本発明の実施の形態２における装置構成を示す図である。同図において、４０１はコンテンツを再生するユーザ端末であり、４０２は課金を行うサーバ端末であり、４０３はインターネット等のネットワークである。
【００６６】
図５は、本発明の実施の形態２におけるコンテンツ部分課金方法の手順を示すフローチャート図である。
【００６７】
本実施の形態で使用する情報記録媒体は実施の形態１で説明した情報記録媒体とする。
【００６８】
以下、コンテンツ領域１０２に記録されているコンテンツａを再生する場合を例に、コンテンツ部分課金方法の手順をステップごとに説明する。
【００６９】
ステップ５０１では、ユーザ端末４０１においてコンテンツ再生許可情報領域１０１に再生するコンテンツであるコンテンツａに対応するコンテンツ再生許可情報が記録されているかを確認する。もし、コンテンツａに対応するコンテンツ再生許可情報が記録されていればステップ５０６に進み、コンテンツａに対応するコンテンツ再生許可情報が記録されていなければステップ５０２に進む。
【００７０】
ステップ５０２では、ユーザ端末４０１とサーバ端末４０２の間でユーザ認証を行う。ここでは、課金を行うのに必要な個人情報のやり取りを行うことでユーザ認証する。例えば、クレジットカードにより課金を行う場合は、クレジットカードの情報のやり取りを行う。サーバ端末４０２においてユーザ認証が完了するとステップ５０３に進む。また、ユーザ端末４０１においてユーザ認証が完了するとステップ５０４に進む。
【００７１】
ステップ５０３では、サーバ端末４０２において再生するコンテンツであるコンテンツａの使用に対して課金を行う。
【００７２】
ステップ５０４では、ユーザ端末４０１においてコンテンツ再生許可情報領域１０１に再生するコンテンツであるコンテンツａに対応するコンテンツ再生許可情報を記録する。再生するコンテンツであるコンテンツａに対応するコンテンツ再生許可情報を記録するとステップ５０５に進む。
【００７３】
ステップ５０５では、ユーザ端末４０１において再生するコンテンツであるコンテンツａを再生する。
【００７４】
なお、ステップ５０２でユーザ端末４０１とサーバ端末４０２の間でユーザ認証したのち、ステップ５０４でユーザ端末４０１においてコンテンツ再生許可情報領域１０１に再生するコンテンツであるコンテンツａに対応するコンテンツ再生許可情報を記録し、再生するコンテンツであるコンテンツａに対応するコンテンツ再生許可情報の記録完了通知をサーバ端末４０２に送信し、サーバ端末において再生するコンテンツであるコンテンツａに対応するコンテンツ再生許可情報の記録完了通知を受信したのちステップ５０３の再生するコンテンツであるコンテンツａの使用に対して課金を行ってもよい。
【００７５】
本実施の形態においては、コンテンツ再生許可情報はユーザ端末４０１において生成可能なものである。例えば、コンテンツ毎にコンテンツの再生が許可されていることを示すフラグを使用してもよい。また、フラグに限らずユーザ端末４０１が有する情報（例えば、装置ＩＤ）と情報記録媒体が有する情報から生成可能なものであればどのような情報を用いてもよく、コンテンツ領域１０２にはコンテンツ毎に異なる鍵で暗号化した複数のコンテンツを記録しておき、ユーザ端末４０１の装置ＩＤからコンテンツを復号するのに必要なコンテンツ鍵を生成できる情報を情報記録媒体に記録しておけば、コンテンツ再生許可情報としてコンテンツ鍵を使用することもできる。
【００７６】
本実施の形態のコンテンツ部分課金方法は、コンテンツ再生許可情報領域１０１にコンテンツ再生許可情報が記録されていないコンテンツを再生する場合のみ課金が行われるため、コンテンツ毎の課金が可能である。
【００７７】
（実施の形態３）
図６は、本発明の実施の形態３におけるコンテンツ部分課金方法の手順を示すフローチャート図である。
【００７８】
本実施の形態で使用する情報記録媒体は実施の形態１で説明した情報記録媒体とする。また、本実施の形態での装置構成は実施の形態２で説明した図４の構成とする。
【００７９】
以下、コンテンツ領域１０２に記録されているコンテンツａを再生する場合を例に、コンテンツ部分課金方法の手順をステップごとに説明する。
【００８０】
ステップ６０１では、ユーザ端末４０１においてコンテンツ再生許可情報領域１０１に再生するコンテンツであるコンテンツａに対応するコンテンツ再生許可情報が記録されているかを確認する。もし、コンテンツａに対応するコンテンツ再生許可情報が記録されていればステップ６０７に進み、コンテンツａに対応するコンテンツ再生許可情報が記録されていなければステップ６０２に進む。
【００８１】
ステップ６０２では、ユーザ端末４０１とサーバ端末４０２の間でユーザ認証を行う。ここでは、課金を行うのに必要な個人情報のやり取りを行うことでユーザ認証する。例えば、クレジットカードにより課金を行う場合は、クレジットカードの情報のやり取りを行う。ユーザ認証が完了するとステップ６０３に進む。
【００８２】
ステップ６０３では、サーバ端末４０２において再生するコンテンツであるコンテンツａに対応するコンテンツ再生許可情報を送信し、ユーザ端末４０１において再生するコンテンツであるコンテンツａに対応するコンテンツ再生許可情報を受信する。サーバ端末４０２において再生するコンテンツであるコンテンツａに対応するコンテンツ再生許可情報を送信するとステップ６０４に進む。また、ユーザ端末４０１において再生するコンテンツであるコンテンツａに対応するコンテンツ再生許可情報を受信するとステップ６０５に進む。
【００８３】
ステップ６０４では、サーバ端末４０２において再生するコンテンツであるコンテンツａの使用に対して課金を行う。
【００８４】
ステップ６０５では、ユーザ端末４０１においてコンテンツ再生許可情報領域１０１に再生するコンテンツであるコンテンツａに対応するコンテンツ再生許可情報を記録する。再生するコンテンツであるコンテンツａに対応するコンテンツ再生許可情報を記録するとステップ６０６に進む。
【００８５】
ステップ６０６では、ユーザ端末４０１において再生するコンテンツであるコンテンツａに対応するコンテンツ再生許可情報を使用してコンテンツａを再生する。
【００８６】
なお、ステップ６０３でサーバ端末４０２からユーザ端末４０１に再生するコンテンツに対応するコンテンツ再生許可情報を送信したのち、ステップ６０５でユーザ端末４０１においてコンテンツ再生許可情報領域１０１に再生するコンテンツであるコンテンツａに対応するコンテンツ再生許可情報を記録し、再生するコンテンツであるコンテンツａに対応するコンテンツ再生許可情報の記録完了通知をサーバ端末４０２に送信し、サーバ端末において再生するコンテンツであるコンテンツａに対応するコンテンツ再生許可情報の記録完了通知を受信したのちステップ６０４の再生するコンテンツであるコンテンツａの使用に対して課金を行ってもよい。
【００８７】
本実施の形態において、コンテンツ再生許可情報としてコンテンツ毎にコンテンツの再生が許可されているかを示すフラグを使用してもよい。また、コンテンツ再生許可情報はサーバ端末からユーザ端末に送信されるため、コンテンツ領域１０２にはコンテンツ毎に異なる鍵で暗号化した複数のコンテンツを記録しておき、コンテンツ再生許可情報としてコンテンツを復号するのに必要なコンテンツ鍵を用いることが可能である。
【００８８】
本実施の形態のコンテンツ部分課金方法は、コンテンツ再生許可情報領域１０１にコンテンツ再生許可情報が記録されていないコンテンツを再生する場合のみ課金が行われるため、コンテンツ毎の課金が可能である。
【００８９】
（実施の形態４）
図７は、本発明の実施の形態４における装置構成を示す図である。同図において、７０１はコンテンツを再生するユーザ端末、７０２は携帯端末、７０３は課金を行うサーバ端末、７０４はインターネット等のネットワークである。
【００９０】
図８は、本発明の実施の形態４におけるコンテンツ部分課金方法の手順を示すフローチャート図である。
【００９１】
本実施の形態で使用する情報記録媒体は実施の形態１で説明した情報記録媒体とする。
【００９２】
以下、コンテンツ領域１０２に記録されているコンテンツａを再生する場合を例に、コンテンツ部分課金方法の手順をステップごとに説明する。
【００９３】
ステップ８０１では、ユーザ端末７０１においてコンテンツ再生許可情報領域１０１に再生するコンテンツであるコンテンツａに対応するコンテンツ再生許可情報が記録されているかを確認する。もし、コンテンツａに対応するコンテンツ再生許可情報が記録されていればステップ８１１に進み、コンテンツａに対応するコンテンツ再生許可情報が記録されていなければステップ８０２に進む。
【００９４】
ステップ８０２では、ユーザ端末７０１において再生するコンテンツであるコンテンツａに対する識別情報を送信し、携帯端末７０２において再生するコンテンツであるコンテンツａに対する識別情報を受信する。携帯端末７０２において再生するコンテンツであるコンテンツａに対する識別情報を受信するとステップ８０３に進む。
【００９５】
ステップ８０３では、ユーザに対して再生するコンテンツであるコンテンツａの購入意思を確認してステップ８０４に進む。
【００９６】
ステップ８０４では、ステップ８０３でユーザが再生するコンテンツであるコンテンツａの購入する意思を示した場合にはステップ８０５に進み、ステップ８０３でユーザが再生するコンテンツであるコンテンツａの購入する意思を示さなかった場合にはステップ８０８に進む。
【００９７】
ステップ８０５では、携帯端末７０２とサーバ端末７０３との間でユーザ認証を行う。ユーザ認証が完了するとステップ８０６に進む。
【００９８】
ステップ８０６では、サーバ端末７０３において再生するコンテンツであるコンテンツａに対応するコンテンツ再生許可情報を送信し、携帯端末７０２において再生するコンテンツであるコンテンツａに対応するコンテンツ再生許可情報を受信する。サーバ端末７０３において再生するコンテンツであるコンテンツａに対応するコンテンツ再生許可情報を送信するとステップ８０７に進む。また、携帯端末７０２において再生するコンテンツであるコンテンツａに対応するコンテンツ再生許可情報を受信するとステップ８０８に進む。
【００９９】
ステップ８０７では、サーバ端末７０３において再生するコンテンツであるコンテンツａの使用に対して課金を行う。
【０１００】
ステップ８０８では、携帯端末７０２においてステップ８０３で確認したユーザのコンテンツａの購入意思情報とコンテンツａの購入意思を示した場合はステップ８０６で受信したコンテンツａに対応するコンテンツ再生許可情報を結果として送信し、ユーザ端末７０１において携帯端末から送信された結果を受信する。ユーザ端末７０１において結果を受信するとステップ８０９に進む。
【０１０１】
ステップ８０９では、ステップ８０３でユーザが再生するコンテンツであるコンテンツａの購入する意思を示した場合にはステップ８１０に進み、ステップ８０３でユーザが再生するコンテンツであるコンテンツａの購入する意思を示さなかった場合にはコンテンツの再生を行わずに終了する。
【０１０２】
ステップ８１０では、ユーザ端末７０１においてコンテンツ再生許可情報領域１０１に再生するコンテンツであるコンテンツａに対応するコンテンツ再生許可情報を記録する。再生するコンテンツであるコンテンツａに対応するコンテンツ再生許可情報を記録するとステップ８１１に進む。
【０１０３】
ステップ８１１では、ユーザ端末７０１において再生するコンテンツであるコンテンツａに対応するコンテンツ再生許可情報を使用してコンテンツａを再生する。
【０１０４】
本実施の形態において、携帯端末７０２は携帯電話端末で実現することが可能である。携帯電話端末を使用した場合は、コンテンツの使用に対する課金を携帯電話の通話料とともに請求するようにすることもできる。
【０１０５】
本実施の形態において、コンテンツ再生許可情報としてコンテンツ毎にコンテンツの再生が許可されているかを示すフラグを使用してもよい。また、コンテンツ再生許可情報はサーバ端末から携帯端末を経由してユーザ端末に送信されるため、コンテンツ領域１０２にはコンテンツ毎に異なる鍵で暗号化した複数のコンテンツを記録しておき、コンテンツ再生許可情報としてコンテンツを復号するのに必要なコンテンツ鍵を用いることが可能である。
【０１０６】
本実施の形態のコンテンツ部分課金方法は、コンテンツ再生許可情報領域１０１にコンテンツ再生許可情報が記録されていないコンテンツを再生する場合のみ課金が行われるため、コンテンツ毎の課金が可能である。
【０１０７】
（実施の形態５）
図９は、本発明の実施の形態５における装置構成を示す図である。同図において、９０１はコンテンツを再生するユーザ端末、９０２は代金の支払いが可能なカードである。
【０１０８】
代金の支払いが可能なカード９０２としては、プリペイド方式の磁気カードや電子マネーと呼ばれるＩＣカードなどを使用することが可能である。ＩＣカードは、あらかじめお金を支払いチャージしておくことによりそのＩＣカードからの支払いが可能となるものである。
【０１０９】
図１０は、本発明の実施の形態５におけるコンテンツ部分課金方法の手順を示すフローチャート図である。
【０１１０】
本実施の形態で使用する情報記録媒体は実施の形態１で説明した情報記録媒体とする。
【０１１１】
以下、コンテンツ領域１０２に記録されているコンテンツａを再生する場合を例に、コンテンツ部分課金方法の手順をステップごとに説明する。
【０１１２】
ステップ１００１では、ユーザ端末９０１においてコンテンツ再生許可情報領域１０１に再生するコンテンツであるコンテンツａに対応するコンテンツ再生許可情報が記録されているかを確認する。もし、コンテンツａに対応するコンテンツ再生許可情報が記録されていれば１００５に進み、コンテンツａに対応するコンテンツ再生許可情報が記録されていなければステップ１００２に進む。
【０１１３】
ステップ１００２では、代金の支払いが可能なカード９０２でコンテンツａの使用料が支払えるかを確認する。コンテンツａの使用料の支払いが可能であると確認するとステップ１００３に進む。
【０１１４】
ステップ１００３では、ユーザ端末９０１においてコンテンツ再生許可情報領域１０１に再生するコンテンツであるコンテンツａに対応するコンテンツ再生許可情報を記録する。再生するコンテンツであるコンテンツａに対応するコンテンツ再生許可情報を記録するとステップ１００４に進む。
【０１１５】
ステップ１００４では、代金の支払いが可能なカード９０２に記録されている残金から再生するコンテンツであるコンテンツａの使用料を減額することにより課金を行う。課金が完了するとステップ１００５に進む。
【０１１６】
ステップ１００５では、ユーザ端末９０１において再生するコンテンツであるコンテンツａを再生する。
【０１１７】
本実施の形態においては、コンテンツ再生許可情報はユーザ端末９０１において生成可能なものである。例えば、コンテンツ毎にコンテンツの再生が許可されていることを示すフラグを使用してもよい。また、フラグに限らずユーザ端末９０１が有する情報（例えば、装置ＩＤ）と情報記録媒体が有する情報から生成可能なものであればどのような情報を用いてもよく、コンテンツ領域１０２にはコンテンツ毎に異なる鍵で暗号化した複数のコンテンツを記録しておき、ユーザ端末９０１の装置ＩＤからコンテンツを復号するのに必要なコンテンツ鍵を生成できる情報を情報記録媒体に記録しておけば、コンテンツ再生許可情報としてコンテンツ鍵を使用することもできる。
【０１１８】
本実施の形態のコンテンツ部分課金方法は、コンテンツ再生許可情報領域１０１にコンテンツ再生許可情報が記録されていないコンテンツを再生する場合のみ課金が行われるため、コンテンツ毎の課金が可能である。
【０１１９】
また、本実施の形態のコンテンツ部分課金方法は、サーバ端末との通信は不要であり、個人情報をやり取りすることなく課金を行うことが可能である。
【０１２０】
（実施の形態６）
図１１は、本発明の実施の形態６における情報記録再生装置の構成を示した図である。同図において、１１０１は入力手段、１１０２は通信手段、１１０３はコンテンツ再生許可情報領域記録再生手段、１１０４はコンテンツ領域再生手段、１１０５はコンテンツ再生手段、１１０６は情報記録媒体である。
【０１２１】
情報記録媒体１１０６は、実施の形態１で説明した情報記録媒体であり、コンテンツ再生許可情報領域１０１とコンテンツ領域１０２を含む。
【０１２２】
入力手段１１０１は、ユーザからの操作を受け付ける手段である。
【０１２３】
通信手段１１０２は、ネットワークを介してサーバ端末（図示せず）とコンテンツの使用情報をやり取りする手段である。
【０１２４】
コンテンツ再生許可情報領域記録再生手段１１０３は、情報記録媒体１１０６のコンテンツ再生許可情報領域１０１に記録、または、情報記録媒体１１０６のコンテンツ再生許可情報領域１０１を再生する手段である。
【０１２５】
コンテンツ領域再生手段１１０５は、情報記録媒体１１０６のコンテンツ領域１０２を再生する手段である。
【０１２６】
コンテンツ再生手段１１０５は、コンテンツ領域再生手段１１０５を使用して読み出したコンテンツを復号して再生する手段である。
【０１２７】
以下、ユーザが入力手段１１０１を使用して情報記録媒体１１０６のコンテンツ領域１０２に記録されているコンテンツａを再生するように指示した場合を例に、図１１の情報記録再生装置の動作を説明する。
【０１２８】
まず、コンテンツ再生許可情報領域記録再生手段１１０３を使用して、情報記録媒体１１０６のコンテンツ再生許可情報領域１０１を読み出す。
【０１２９】
もし、コンテンツ再生許可情報領域１０１にコンテンツａに対応するコンテンツ再生許可情報が記録されていなかった場合には、通信手段１１０２を使用してサーバ端末にコンテンツａの使用を通知する。そして、コンテンツ再生許可情報領域記録再生手段１１０３を使用して情報記録媒体１１０６のコンテンツ再生許可情報領域１０１にコンテンツａに対応するコンテンツ再生許可情報を記録する。
【０１３０】
情報記録媒体１１０６のコンテンツ再生許可情報領域１０１にコンテンツａに対応するコンテンツ再生許可情報が記録された状態になると、コンテンツ領域再生手段１１０４を使用して情報記録媒体１１０６のコンテンツ領域１０２に記録されているコンテンツａを読み出し、コンテンツ再生手段１１０５を使用して読み出したコンテンツａを再生する。
【０１３１】
本実施の形態において、通信手段１１０２を使用してサーバ端末にコンテンツａの使用を通知したのち、通信手段１１０２を使用してサーバ端末からコンテンツａに対応するコンテンツ再生許可情報を受信して、コンテンツ再生許可情報領域記録再生手段１１０３を使用して情報記録媒体１１０６のコンテンツ再生許可情報領域１０１にコンテンツａに対応するコンテンツ再生許可情報を記録してもよい。
【０１３２】
本実施の形態の情報記録再生装置は、コンテンツ再生許可情報領域１０１にコンテンツ再生許可情報が記録されていないコンテンツを再生する場合のみサーバ端末に対してコンテンツの使用を通知するため、サーバ端末においてコンテンツ毎の課金を行うことが可能である。また、既にコンテンツ再生許可情報領域１０１にコンテンツ再生許可情報が記録されているコンテンツを再生する場合には、サーバ端末との通信を行わないため、ネットワークが利用できないような環境でもコンテンツを再生することが可能である。
【０１３３】
（実施の形態７）
図１２は、本発明の実施の形態７における情報記録再生装置の構成を示した図である。同図において、１２０１は入力手段、１２０２はコンテンツ再生許可情報領域再生手段、１２０３はコンテンツ領域再生手段、１２０４はコンテンツ再生手段、１２０５は情報記録媒体である。
【０１３４】
情報記録媒体１２０５は、実施の形態１で説明した情報記録媒体であり、コンテンツ再生許可情報領域１０１とコンテンツ領域１０２を含む。
【０１３５】
入力手段１２０１は、ユーザからの操作を受け付ける手段である。
【０１３６】
コンテンツ再生許可情報領域再生手段１２０２は、情報記録媒体１２０５のコンテンツ再生許可情報領域１０１を再生する手段である。
【０１３７】
コンテンツ領域再生手段１２０３は、情報記録媒体１２０５のコンテンツ領域１０２を再生する手段である。
【０１３８】
コンテンツ再生手段１２０４は、コンテンツ領域再生手段１２０３を使用して読み出したコンテンツを復号して再生する手段である。
【０１３９】
以下、ユーザが入力手段１２０１を使用して情報記録媒体１２０５のコンテンツ領域１０２に記録されているコンテンツａを再生するように指示した場合を例に、図１２の情報記録再生装置の動作を説明する。
【０１４０】
まず、コンテンツ再生許可情報領域記録再生手段１２０２を使用して、情報記録媒体１２０５のコンテンツ再生許可情報領域１０１を読み出す。
【０１４１】
もし、コンテンツ再生許可情報領域１０１にコンテンツａに対応するコンテンツ再生許可情報が記録されていなかった場合には、コンテンツａの再生を行わない。
【０１４２】
もし、コンテンツ再生許可情報領域１０１にコンテンツａに対応するコンテンツ再生許可情報が記録されていた場合は、コンテンツ領域再生手段１２０３を使用して情報記録媒体１２０５のコンテンツ領域１０２に記録されているコンテンツａを読み出し、コンテンツ再生手段１２０４を使用して読み出したコンテンツａを再生する。
【０１４３】
本実施の形態の情報再生装置は、課金済みであるコンテンツ再生許可情報領域１０１にコンテンツ再生許可情報が記録されているコンテンツのみを再生可能とすることで通信手段がなくてもコンテンツの再生が可能である。
【産業上の利用可能性】
【０１４４】
本発明によるコンテンツ部分課金方法及び情報記録再生装置及び情報再生装置及び情報記録媒体は、情報記録媒体に複数のコンテンツが記録されたコンテンツ領域と該複数のコンテンツの再生許可情報をコンテンツ毎に格納するコンテンツ再生許可情報領域を設けることにより、店頭等でパッケージソフトとして販売可能であり、かつ、コンテンツ毎にその使用料を課金する用途にも適用できる。
【図面の簡単な説明】
【０１４５】
【図１】本発明の情報記録媒体の構成を示す図
【図２】本発明の情報記録媒体の例を示す図
【図３】本発明の情報記録媒体の別の例を示す図
【図４】本発明の実施の形態２及び実施の形態３における装置構成を示す図
【図５】本発明の実施の形態２におけるコンテンツ部分課金方法の手順を示すフローチャート
【図６】本発明の実施の形態３におけるコンテンツ部分課金方法の手順を示すフローチャート
【図７】本発明の実施の形態４における装置構成を示す図
【図８】本発明の実施の形態４におけるコンテンツ部分課金方法の手順を示すフローチャート
【図９】本発明の実施の形態５における装置構成を示す図
【図１０】本発明の実施の形態５におけるコンテンツ部分課金方法の手順を示すフローチャート
【図１１】本発明の情報記録再生装置の構成を示す図
【図１２】本発明の情報再生装置の構成を示す図
【図１３】従来のコンテンツ部分課金方法の手順を示すフローチャート
【符号の説明】
【０１４６】
１０１    コンテンツ再生許可情報領域
１０２    コンテンツ領域
２０１    追記型媒体領域
２０２    再生専用型媒体領域
３０１    ＩＣチップ
３０２    再生専用型媒体領域
４０１    ユーザ端末
４０２    サーバ端末
４０３    ネットワーク
７０１    ユーザ端末
７０２    携帯端末
７０３    サーバ端末
７０４    ネットワーク
９０１    ユーザ端末
９０２    代金の支払いが可能なカード
１１０１    入力手段
１１０２    通信手段
１１０３    コンテンツ再生許可情報領域記録再生手段
１１０４    コンテンツ領域再生手段
１１０５    コンテンツ再生手段
１１０６    情報記録媒体
１２０１    入力手段
１２０２    コンテンツ再生許可情報領域再生手段
１２０３    コンテンツ領域再生手段
１２０４    コンテンツ再生手段
１２０５    情報記録媒体
【図１】
2005141470.tif 000003
【図２】
2005141470.tif 000004
【図３】
2005141470.tif 000005
【図４】
2005141470.tif 000006
【図５】
2005141470.tif 000007
【図６】
2005141470.tif 000008
【図７】
2005141470.tif 000009
【図８】
2005141470.tif 000010
【図９】
2005141470.tif 000011
【図１０】
2005141470.tif 000012
【図１１】
2005141470.tif 000013
【図１２】
2005141470.tif 000014
【図１３】
2005141470.tif 000015